(57)【要約】【課題】スピーカが出力する音声に起因するビビリ音及び記録（録画）・再生部の誤作動を防止することができる表示装置及びテレビジョン受信機を提供する。【解決手段】画像を表示する表示部２０と、箱体６１内部にスピーカ６２が固定してあり、箱体６１にスピーカ６２が出力した音声を通過させる通過口６３が開設されているスピーカボックス６０と、記録媒体に記録された画像及び音声を再生する再生部と、表示部２０、スピーカボックス６０及び前記再生部を収容する筐体３０、４０とを備える表示装置１０において、箱体６１の通過口６３と対向する筐体３０、４０の部分に音声を放出する放出口３４が開設されており、通過口６３（又は放出口３４）の周縁部に突設された筒部６４と、筒部６４の先端部及び放出口３４（又は通過口６３）の周縁部の間に挟着される緩衝材１２０とを備える。【選択図】図４
2015019325.tif 000002
【特許請求の範囲】
【請求項１】
画像を表示する表示部と、
箱体内部にスピーカが固定してあり、該箱体に該スピーカが出力した音声を通過させる通過口が開設されているスピーカボックスと、
記録媒体に記録された画像及び音声を再生する再生部と、
前記表示部、スピーカボックス及び再生部を収容する筐体と
を備える表示装置において、
前記箱体の通過口と対向する前記筐体の部分に音声を放出する放出口が開設されており、
前記通過口の周縁部及び前記放出口の周縁部の間に挟着される緩衝材を備える
ことを特徴とする表示装置。
【請求項２】
前記箱体の内外を連通するバスレフダクトを有しており、
前記箱体の通過口は前記スピーカが出力した音声を通過させる第一通過口及び前記バスレフダクトから出力された音声を通過させる第二通過口を含み、
前記筐体の放出口は前記第一及び第二通過口と夫々対向する第一及び第二放出口を含み、
前記緩衝材は前記第一通過口の周縁部及び前記第一放出口の周縁部の間に挟着される第一緩衝材並びに前記第二通過口の周縁部及び前記第二放出口の周縁部の間に挟着される第二緩衝材を含む
ことを特徴とする請求項１に記載の表示装置。
【請求項３】
画像を表示する表示部と、
箱体内部にスピーカが固定してあり、該箱体に該スピーカが出力した音声を通過させる通過口が開設されているスピーカボックスと、
記録媒体に記録された画像及び音声を再生する再生部と、
前記表示部、スピーカボックス及び再生部を収容する筐体と
を備える表示装置において、
前記箱体の通過口と対向する前記筐体の部分に音声を放出する放出口が開設されており、
前記通過口（又は前記放出口）の周縁部に突設された筒部と、
該筒部の先端部及び前記放出口（又は前記通過口）の周縁部の間に挟着される緩衝材と
を備える
ことを特徴とする表示装置。
【請求項４】
前記箱体の内外を連通するバスレフダクトを有しており、
前記箱体の通過口は前記スピーカが出力した音声を通過させる第一通過口及び前記バスレフダクトから出力された音声を通過させる第二通過口を含み、
前記筐体の放出口は前記第一及び第二通過口と夫々対向する第一及び第二放出口を含み、
前記筒部は前記第一通過口（又は前記第一放出口）の周縁部に突設された第一筒部及び前記第二通過口（又は前記第二放出口）の周縁部に突設された第二筒部を含み、
前記緩衝材は前記第一筒部の先端部と、前記第一放出口（又は前記第一通過口）の周縁部との間に挟着される第一緩衝材及び前記第二筒部の先端部と、前記第二放出口（又は前記第二通過口）の周縁部との間に挟着される第二緩衝材を含む
ことを特徴とする請求項３に記載の表示装置。
【請求項５】
請求項１から請求項４までのいずれか一項に記載の表示装置と、
テレビジョン放送を受信する受信部と
を備え、
前記表示装置の表示部は前記受信部が受信したテレビジョン放送に係る画像を表示するようにしてあり、
前記表示装置のスピーカは前記受信部が受信したテレビジョン放送に係る音声を出力するようにしてあり、
前記再生部は前記受信部が受信したテレビジョン放送に係る画像及び音声を記録媒体に記録するようにしてある
ことを特徴とするテレビジョン受信機。
【発明の詳細な説明】
【技術分野】
【０００１】
本願は、表示装置及びテレビジョン受信機に関する。
【背景技術】
【０００２】
スピーカを備える表示装置には、スピーカから出力される音声の振動により表示装置の筐体、部品等が振動し、これらが触れ合って所謂ビビリ音が発生する場合がある。また、記録媒体に記録された画像及び音声を再生するハードディスクドライブ、光ディスクドライブ等の再生部と、スピーカとを備えた表示装置の場合、スピーカから出力される音声に起因する共振により、再生部が誤動作を起こすことがある。
【０００３】
そこで、ビビリ音を防止するために、筐体の一部と、新たに筐体に設けたリブとを利用してスピーカを密閉するキャビネットを形成し、筐体とリブの先端部との接合部にクッション材を挟み込ませたテレビジョン受信機がある（例えば、特許文献１参照）。また、再生部の誤動作を防止するために、音声が出力されるスピーカのコーン周辺と、筐体との間に振動を低減するクッション材を設けた表示装置がある（例えば、特許文献２参照）。
【先行技術文献】
【特許文献】
【０００４】
【特許文献１】特開平１１−２０５８８０号公報
【特許文献２】特開２０１１−１８２０５０号公報
【発明の概要】
【発明が解決しようとする課題】
【０００５】
しかしながら、特許文献１に係るテレビジョン受信機では、スピーカのキャビネットの一部がテレビジョン受信機の筐体を兼ねているため、スピーカから出力された音声の振動の一部がテレビジョン受信機の筐体に伝搬する。そのため、ビビリ音が発生する。
【０００６】
特許文献２に係る表示装置の場合、スピーカのコーン周辺から筐体に伝播する振動はクッション材により低減される。しかし、スピーカの他の部分から発生した共振周波数の音波は、表示装置の筐体及び筐体内の空気を伝播して再生部に伝わる。そのため、再生部は共振を起こし、動作に不具合が生じる。
【０００７】
本願は、かかる事情に鑑みてなされたものである。その目的は、スピーカが出力する音声に起因するビビリ音及び再生部の誤作動を防止することができる表示装置及びテレビジョン受信機を提供することにある。
【課題を解決するための手段】
【０００８】
本願に係る表示装置は、画像を表示する表示部と、箱体内部にスピーカが固定してあり、該箱体に該スピーカが出力した音声を通過させる通過口が開設されているスピーカボックスと、記録媒体に記録された画像及び音声を再生する再生部と、前記表示部、スピーカボックス及び再生部を収容する筐体とを備える表示装置において、前記箱体の通過口と対向する前記筐体の部分に音声を放出する放出口が開設されており、前記通過口の周縁部及び前記放出口の周縁部の間に挟着される緩衝材を備えることを特徴とする。
【０００９】
本願に係る表示装置は、前記箱体の内外を連通するバスレフダクトを有しており、前記箱体の通過口は前記スピーカが出力した音声を通過させる第一通過口及び前記バスレフダクトから出力された音声を通過させる第二通過口を含み、前記筐体の放出口は前記第一及び第二通過口と夫々対向する第一及び第二放出口を含み、前記緩衝材は前記第一通過口の周縁部及び前記第一放出口の周縁部の間に挟着される第一緩衝材並びに前記第二通過口の周縁部及び前記第二放出口の周縁部の間に挟着される第二緩衝材を含むことを特徴とする。
【００１０】
本願に係る表示装置は、画像を表示する表示部と、箱体内部にスピーカが固定してあり、該箱体に該スピーカが出力した音声を通過させる通過口が開設されているスピーカボックスと、記録媒体に記録された画像及び音声を再生する再生部と、前記表示部、スピーカボックス及び再生部を収容する筐体とを備える表示装置において、前記箱体の通過口と対向する前記筐体の部分に音声を放出する放出口が開設されており、前記通過口（又は前記放出口）の周縁部に突設された筒部と、該筒部の先端部及び前記放出口（又は前記通過口）の周縁部の間に挟着される緩衝材とを備えることを特徴とする。
【００１１】
本願に係る表示装置は、前記箱体の内外を連通するバスレフダクトを有しており、前記箱体の通過口は前記スピーカが出力した音声を通過させる第一通過口及び前記バスレフダクトから出力された音声を通過させる第二通過口を含み、前記筐体の放出口は前記第一及び第二通過口と夫々対向する第一及び第二放出口を含み、前記筒部は前記第一通過口（又は前記第一放出口）の周縁部に突設された第一筒部及び前記第二通過口（又は前記第二放出口）の周縁部に突設された第二筒部を含み、前記緩衝材は前記第一筒部の先端部と、前記第一放出口（又は前記第一通過口）の周縁部との間に挟着される第一緩衝材及び前記第二筒部の先端部と、前記第二放出口（又は前記第二通過口）の周縁部との間に挟着される第二緩衝材を含むことを特徴とする。
【００１２】
本願に係るテレビジョン受信機は、上記に記載の表示装置と、テレビジョン放送を受信する受信部とを備え、前記表示装置の表示部は前記受信部が受信したテレビジョン放送に係る画像を表示するようにしてあり、前記表示装置のスピーカは前記受信部が受信したテレビジョン放送に係る音声を出力するようにしてあり、前記再生部は前記受信部が受信したテレビジョン放送に係る画像及び音声を記録媒体に記録するようにしてあることを特徴とする。
【発明の効果】
【００１３】
本願に係る表示装置及びテレビジョン受信機によれば、スピーカが出力する音声に起因するビビリ音及び再生部の誤作動を防止することができる。
【図面の簡単な説明】
【００１４】
【図１】テレビジョン受信機を正面側からみた斜視図である。
【図２】テレビジョン受信機を背面側から見た斜視図である。
【図３】バックキャビネットを取り除いたテレビジョン受信機を背面側から見た斜視図である。
【図４】スピーカボックスの中央を通過する縦切断面で切断したテレビジョン受信機下部の部分断面図である。
【図５】スピーカボックスの正面図である。
【図６】スピーカボックスが取り付けられるフロントキャビネットの後面付近を示す斜視図である。
【図７】図４のスピーカボックス断面と異なる部分で切断したテレビジョン受信機下部の部分断面図である。
【図８】スピーカボックスの背面図である。
【図９】右側のスピーカボックスと対向するバックキャビネットの箱部の内面を前方左側から示す部分斜視図である。
【図１０】スピーカボックスをフロントキャビネットに取り付ける様子を示す説明図である。
【図１１】スピーカボックスの中央を通過する縦切断面で切断したテレビジョン受信機下部の部分断面図である。
【発明を実施するための形態】
【００１５】
本願に係る一実施例の表示装置は、例えばテレビジョン受信機、電子黒板、チューナ（受信部）に接続して使用されるモニタ、デスクトップ型コンピュータに接続して使用されるモニタ及びデジタルサイネージに利用されるディスプレイを含む。以下では、表示装置の一例として、テレビジョン受信機を実施の形態に関する図面に基づいて説明する。
【００１６】
図１は、テレビジョン受信機１０を正面側からみた斜視図である。ここで、起立姿勢のテレビジョン受信機１０が画像を表示する画面２１に対して視聴者が正対した場合、画面２１から視聴者側を前側又は正面側、その反対を後側又は背面側とする。画面２１は、横長の矩形状をなす。視聴者から画面２１に向かって、画面２１の長辺方向右側をテレビジョン受信機１０の右側、画面２１の長辺方向左側をテレビジョン受信機１０の左側とする。画面２１の短辺方向上側をテレビジョン受信機１０の上側、画面２１の短辺方向下側をテレビジョン受信機１０の下側とする。図１は、正面側の左側から見たテレビジョン受信機１０を示している。
【００１７】
テレビジョン受信機１０は、表示部２０及びフロントキャビネット（筐体）３０を含む。表示部２０は、例えば液晶パネルモジュール、プラズマモジュール、有機ＥＬ（Electro Luminescence）モジュール、ＣＲＴ（Cathode Ray Tube）モジュール等である。表示部２０は、矩形板状をなし、前側に横長矩形状の画面２１を有している。
【００１８】
フロントキャビネット３０は、表示部２０の前側を覆う筐体の一部であり、例えば合成樹脂からなる。表示部２０の画面２１に対応するフロントキャビネット３０の部分には、横長矩形状の開口が設けられている。そのため、正面から見たフロントキャビネット３０は横長の矩形枠状をなす。
【００１９】
フロントキャビネット３０の下端部は、前側へ全長に亘って張り出した平板状のフランジ部３１を構成している。フランジ部３１の上面視形状は、前側の辺がより短い等脚台形状をなす。仮に、テレビジョン受信機１０が前方に転倒される力を受けた場合、フランジ部３１の底面がテレビジョン受信機１０の設置面を押圧することにより、テレビジョン受信機１０は転倒を回避するように構成されている。
【００２０】
画面２１に対応する開口下端とフランジ部３１との中間に位置するフロントキャビネット３０の前側には、左右方向へ延びた帯状の飾り板３２が配置してある。飾り板３２は、３枚あり、夫々左側、中央及び右側に１枚ずつフロントキャビネット３０の前側に配置している。左側及び右側の飾り板３２は、フロントキャビネット３０の前面に取り付けられている。左側の飾り板３２の左寄りの位置に、電源のＯＮ／ＯＦＦを示すＬＥＤ（Light Emitting Diode）、図示しないリモートコントローラから赤外線の信号を受信する受信部等が覗くことのできる複数の開口が横方向に直線状に配されている。テレビジョン受信機１０の後側下部中央には、後述する光ディスクドライブ８０（図３参照）が配置している。中央の飾り板３２は、光ディスクドライブ８０の正面に取り付けられている。右側の飾り板３２の左寄りの位置に、光ディスクドライブ８０のトレイを出し入れするボタンが突出する開口が配されている。
【００２１】
図２は、テレビジョン受信機１０を背面側から見た斜視図である。テレビジョン受信機１０は、バックキャビネット（筐体）４０を含む。バックキャビネット４０は、テレビジョン受信機１０の後側を覆う筐体の一部である。バックキャビネット４０は、例えば合成樹脂からなり、概ね後側に突出した皿状をなす。
【００２２】
ただし、バックキャビネット４０の下部は、後側に張り出したフランジ部４１を構成している。フランジ部４１の上下方向の厚さは、フロントキャビネット３０のフランジ部３１よりも厚い。フランジ部４１は、一方が開口している箱形状の箱部４１１、４１２及び突部４１３を含む。箱部４１１、４１２は、フランジ部４１の左側及び右側を構成し、夫々左右方向に延びた直方体状をなす。突部４１３は、フランジ部４１の中央部分を構成し、箱部４１１、４１２よりも更に後側に張り出している。突部４１３の上面は、後側の辺がより短い等脚台形状をなす。フランジ部４１の全体的な上面視形状は、後側に突出し、裾野を広げた山形をなす。フランジ部４１における箱部４１１、突部４１３及び箱部４１２の境界付近は湾曲した形状をなし、意匠性に優れている。
【００２３】
前後方向のフランジ部４１の平均幅は、前後方向のフランジ部３１の平均幅よりも広い。仮に、テレビジョン受信機１０が後方に転倒される力を受けた場合、フランジ部４１の底面がテレビジョン受信機１０の設置面を押圧することにより、テレビジョン受信機１０は転倒を回避するように構成されている。
【００２４】
テレビジョン受信機１０は、起立姿勢で自身を支持するスタンドを備えていない。設置面と接するフロントキャビネット３０のフランジ部３１と、バックキャビネット４０のフランジ４１とがスタンドに代替している。このように、テレビジョン受信機１０の下部は、機能性と装飾性との両極を一つにまとめた新しい意匠を実現している。
【００２５】
図３は、バックキャビネット４０を取り除いたテレビジョン受信機１０を背面側から見た斜視図である。テレビジョン受信機１０は、チューナ５０、スピーカボックス６０、ＨＤ（Hard Disk）ドライブ（再生部）７０及び光ディスクドライブ（再生部）８０を含む。
【００２６】
チューナ５０は、テレビジョン放送に係る所要のチャンネルの電波を選択して受信し、これを一定周波数の信号に変換して出力する同調装置である。
表示部２０は、リモートコントローラに基づく操作に応じて、チューナ５０が受信したテレビジョン放送に係る画像を画面２１に表示する。
なお、表示部２０の後面には、チューナ５０以外に、電源、画像処理、制御等に関する複数の基板が取り付けられている。
【００２７】
スピーカボックス６０は、横方向に延びた直方体状の箱体６１を含む。箱体６１は、例えば合成樹脂からなる複数の部材を超音波溶着により接合して形成されている。そのため、箱体６１は、高い密閉性を有している。テレビジョン受信機１０は、スピーカボックス６０を２つ含む。２つのスピーカボックス６０は、表示部２０の後側下端部の左側と右側との位置に夫々対応するフロントキャビネット３０の後面部分に１つずつ取り付けられている。各スピーカボックス６０は、テレビジョン受信機１０が組み立てられた場合、バックキャビネット４０の箱部４１１、４１２に夫々覆われる。スピーカボックス６０は、リモートコントローラに基づく操作に応じて、チューナ５０が受信したテレビジョン放送に係る音声を出力する。
【００２８】
左右のスピーカボックス６０の両外側におけるフロントキャビネット３０の下部左右両端部は、夫々略三角形状をなし、最も外側の部分は僅かに設置面と接する小領域の底面を有している。
【００２９】
ＨＤドライブ７０は、磁気ディスクを有し、チューナ５０が受信したテレビジョン放送に係る画像及び音声の信号を磁気ディスクに記録する記録装置である。また、ＨＤドライブ７０は、磁気ディスクに記録した画像及び音声の信号を再生する再生装置でもある。表示部２０は、ＨＤドライブ７０が再生した画像の信号を入力し、入力した信号に応じた画像を画面２１に表示する。また、スピーカボックス６０は、ＨＤドライブ７０が再生した音声の信号を入力し、入力した信号に応じた音声を出力する。
【００３０】
光ディスクドライブ８０は、チューナ５０が受信したテレビジョン放送に係る画像及び音声の信号をＤＶＤ（Digital Versatile Disc）、ＢＤ（Blu-ray Disc、登録商標）等の光ディスクに記録する記録装置である。また、光ディスクドライブ８０は、光ディスクに記録した画像及び音声の信号を再生する再生装置でもある。表示部２０は、光ディスクドライブ８０が再生した画像の信号を入力し、入力した信号に応じた画像を画面２１に表示する。また、スピーカボックス６０は、ＢＤドライブ９０が再生した音声の信号を入力し、入力した信号に応じた音声を出力する。
光ディスクドライブ８０は、光ディスクに予め記録された映画等のコンテンツに係る画像及び音声の信号を再生することもできる。
【００３１】
テレビジョン受信機１０は、支柱９０及び支持板１００を含む。
支柱９０は、２本であり、表示部２０の後面下部に、ねじで夫々固定されている。
支持板１００は、前側に弦を有する半円形状又は半楕円状をなす金属板である。支持板１００は、例えば鉄製であり、十分な強度を有している。フロントキャビネット３０のフランジ部３１及びバックキャビネット４０のフランジ部４１は、夫々設置面と接する底壁を有している。支持板１００は、フランジ部３１及びフランジ部４１の底壁の上面に接して配置している。
【００３２】
２本の支柱９０は、夫々支持板１００の左半部の略中央及び右半部の略中央にねじで固定されている。これにより、表示部２０及びチューナ５０等の荷重は、支柱９０を介して支持板１００に支持されている。
【００３３】
ＨＤドライブ７０は、矩形状の金属板の上にねじで固定されている。２本の支柱９０には、夫々後方へ延びた形状をなす断面視Ｌ字状の金具がねじで固定されている。ＨＤドライブ７０が固定された金属板は、支柱９０に固定された金具にねじで固定されている。そのため、ＨＤドライブ７０、ＨＤドライブ７０が固定された金属板及び金属板が固定された金具の荷重は、支持板１００により支持されている。
【００３４】
光ディスクドライブ８０は、支持板１００上にねじで固定された金属製の箱体の内部に側方からねじで固定されている。そのため、光ディスクドライブ８０及び光ディスクドライブ８０が固定された金属製の箱体の荷重は、支持板１００により支持されている。
【００３５】
なお、ＨＤドライブ７０、金属板及び金具と、光ディスクドライブ８０及び箱体は、僅かな隙間で隔離されており、直接接していない。そのため、ＨＤドライブ７０及び光ディスクドライブ８０は、互いに自身の動作に伴う振動を伝播し合わないように構成されている。
【００３６】
図４は、スピーカボックス６０の中央を通過する縦切断面で切断したテレビジョン受信機１０下部の部分断面図である。
図５は、スピーカボックス６０の正面図である。
スピーカボックス６０は、箱体６１、スピーカ６２、第一通過口６３及び第一筒部６４を含む。スピーカ６２は、音声電気信号を機械的振動に変えて音波を出す装置である。
【００３７】
スピーカ６２は横長であり、音声を前方に出す向きで箱体６１の下部に固定されている。スピーカ６２と対向する箱体６１の部分には、左右方向に延びた矩形状の第一通過口６３が開設されている。第一通過口６３は、スピーカが出力した音声を箱体６１の外部へ通過させる開口である。第一筒部６４は第一通過口６３の周縁部の箱体６１部分から前方へ突設された筒であり、その先端形状は第一通過口６３と同様に左右方向に延びた矩形枠状をなす。第一筒部６４は、スピーカ６２が出力した音声が通過する音道を構成している。
【００３８】
スピーカボックス６０は、バスレフダクト６６を含む（図４、７、８参照）。バスレフダクト６６は、箱体６１内部の後側上部に設けられた円管である。バスレフダクト６６は、スピーカ６２が出力する低音域の音声をヘルムホルツ共鳴によって増幅する。
【００３９】
図６は、スピーカボックス６０が取り付けられるフロントキャビネット３０の後面付近を示す斜視図である。第一筒部６４に対応するフロントキャビネット３０の後面部分には、第一筒部６４の先端と同様の形状をなす第一放出口３４が開設されている。第一放出口３４は、第一筒部６４を通過したスピーカ６２からの音声が外部へ放出される開口である。第一放出口３４の内部は、強度確保のため、格子で複数の開口に区切られている。強度の高い金属製等のネットであれば、格子構造は不要である。
【００４０】
第一筒部６４の先端部と、第一放出口３４の周縁部との間には、これらに挟着される第一緩衝材１２０が介在する。第一緩衝材１２０は、第一筒部６４の先端部と同様の矩形枠状をなす。第一緩衝材１２０は、エチレン酢酸ビニル共重合樹脂からなり、内部に複数の独立気泡が形成されている。エチレン酢酸ビニル共重合樹脂は、例えば熱硬化性樹脂よりも柔らかく、例えばウレタンよりも硬い。また、独立気泡型の樹脂は、連続気泡構造を有する樹脂よりも通気性が低い。そのため、第一緩衝材１２０は、スピーカ６２に起因する音声及び振動を吸収し、音声及び振動の伝播を防止する大きな効果を奏する。
【００４１】
図７は、図４のスピーカボックス６０断面と異なる部分で切断したテレビジョン受信機１０下部の部分断面図である。
図８は、スピーカボックス６０の背面図である。
箱体６１の後面の一部はバスレフダクト６６の側面の一部を兼ねており、当該後面の一部は後側に突出した丸味を帯びている。
【００４２】
スピーカボックス６０は、第二通過口６７を含む。第二通過口６７は、箱体６１の表面に接続されたバスレフダクト６６の一開口である。換言すると、バスレフダクト６６は、第二通過口６７から箱体６１の内部へ向けて延びる円管である。バスレフダクト６６の他開口は、開放端であり、箱体６１の内部に配置している。
なお、バスレフダクト６６は角管でもよく、第二通過口６７は正方形状又は矩形状でもよい。
【００４３】
第二通過口６７の周囲に、ドーナツ状の第二緩衝材１３０が接着されている。第二緩衝材１３０の内径は、第二通過口６７の径と略同一である。第二緩衝材１３０の材質は、第一緩衝材１２０の材質と同一である。
【００４４】
図９は、右側のスピーカボックス６０と対向するバックキャビネット４０の箱部４１２の内面を前方左側から示す部分斜視図である。スピーカボックス６０の第二通過口６７と対向する箱部４１２には、バスレフダクト６６で増幅された低音域の音声を外部へ放出する円形状の第二放出口４２が設けられている。第二放出口４２の周縁部から前側の第二緩衝材１３０へ向けて第二筒部４３が突設されている。第二筒部４３は、第二通過口６７から出力された音声が通過する音道を構成している。
【００４５】
次に、スピーカボックス６０の取り付け手順について説明する。
図１０は、スピーカボックス６０をフロントキャビネット３０に取り付ける様子を示す説明図である。フロントキャビネット３０の後側を上方に向けて、フロントキャビネット３０を略水平な台に載置する。第一放出口３４の周囲に第一緩衝材１２０を仮固定する。その際、第一緩衝材１２０は、シールで第一放出口３４の周囲に貼られる。あるいは、フロントキャビネット３０の後面から突設された突起を第一緩衝材１２０に設けた切れ込み、穴等に挿入することにより、第一緩衝材１２０は、第一放出口３４の周囲に仮固定される。
【００４６】
各スピーカボックス６０の箱体６１の両側面には、前後方向に貫通穴が開設された取付リブ６５が１つずつ突設されている（図５、図８、図１０）。貫通穴の内壁には、ドーナツ状の緩衝材が着設されている。各取付リブ６５をフロントキャビネット３０の背面から突設されたボス３３にねじで固定することにより、スピーカボックス６０はフロントキャビネット３０に固定される。その際、第一緩衝材１２０は、前後に押圧されて、第一筒部６４の先端部と、第一放出口３４の周縁部との間に挟着される。
【００４７】
フロントキャビネット３０に対する表示部２０等の部品の取り付けが終了した場合、バックキャビネット４０の前側を下方に向けて、バックキャビネット４０をフロントキャビネット３０に重ねる。バックキャビネット４０及びフロントキャビネット３０を互いの係合部で係合させる。そして、後側からバックキャビネット４０の周囲に設けられた複数の穴に入れたねじで、バックキャビネット４０及びフロントキャビネット３０を締結する。その際、第二緩衝材１３０は、第二筒部４３の先端部と、第二通過口６７の周縁部との間で挟着される。
【００４８】
上述では、第一筒部６４は、スピーカボックス６０の箱体６１から前方へ突設されていた。しかし、音道を構成する筒部は、フロントキャビネット３０から後方へ突設されてもよい。同様に上述では、第二筒部４３はバックキャビネット４０から前方へ突設されていたが、低音域の音道を構成する筒部はスピーカボックス６０の箱体６１から後方へ突設されてもよい。
【００４９】
上述では、スピーカボックス６０と、フロントキャビネット３０及びバックキャビネット４０とは夫々離間しており、第一筒部６４及び第二筒部４３が設けられていた。しかし、スピーカボックス６０と、フロントキャビネット３０及びバックキャビネット４０とが夫々離間していない場合、第一筒部６４及び第二筒部４３はなくてもよい。
図１１は、スピーカボックス６０の中央を通過する縦切断面で切断したテレビジョン受信機１０下部の部分断面図である。第一通過口６３の周縁部と、第一放出口３４の周縁部との間に、第一緩衝材１２０が挟着されている。同様に、第二通過口６７の周縁部と、第二放出口４２の周縁部との間に、第二緩衝材１３０が挟着されている。
【００５０】
上述では、スピーカ６２は前方に音声を出力し、バスレフダクト６６で増幅された低音域の音声は後方へ出力された。しかし、音声の出力方向は限定されない。例えば、スピーカ６２は後方に音声を出力し、バスレフダクト６６からの音声は前方へ出力されてもよい。あるいは、テレビジョン受信機１０は、スピーカ６２及びバスレフダクト６６に係る音声を、共に前方へ出力してもよいし、共に後方へ出力してもよい。
【００５１】
上述では、第一筒部６４はスピーカボックス６０から突設され、第二筒部４３はバックキャビネット４０から突設されていた。しかし、第一筒部６４及び第二筒部４３は、独立した部材であってもよい。かかる場合、スピーカボックス６０、フロントキャビネット３０及びスピーカボックス６０と独立した第一筒部の両端部と、第一通過口６３の周縁部及び第一放出口３４の周縁部との間に夫々第一緩衝材１２０が挟着される。また、スピーカボックス６０、フロントキャビネット３０及びスピーカボックス６０と独立した第二筒部の両端部と、第二通過口６７の周縁部及び第二放出口４２の周縁部との間に夫々第二緩衝材１３０が挟着される。
【００５２】
テレビジョン受信機１０によれば、スピーカ６２が出力する音声に起因するＨＤドライブ７０及び光ディスクドライブ８０の誤作動を防止することができる。
テレビジョン受信機１０のフロントキャビネット３０又はバックキャビネット４０を利用して、スピーカ６２が収容される箱体を形成する場合、多くのねじ止め箇所が必要となり、密閉性にも劣る。しかし、スピーカボックス６０は、密閉された自身の箱体６１を有しているので、スピーカ６２が出力する音声を箱体６１内部に閉じ込め、外部に漏らさない。これにより、スピーカ６２に起因する共振周波数の音波は、テレビジョン受信機１０の内部、フロントキャビネット３０及びバックキャビネット４０に伝播しにくくなり、ＨＤドライブ７０及び光ディスクドライブ８０の誤作動を防止することができる。
【００５３】
スピーカボックス６０の第一筒部６４の先端部と、フロントキャビネット３０の第一放出口３２との間には、第一緩衝材１２０が挟着されている。また、スピーカボックス６０の第二通過口６７とバックキャビネット４０の第二筒部４３の先端部との間には、第二緩衝材１３０が挟着されている。そのため、スピーカ６２が出力した音声は、テレビジョン受信機１０の内部に漏れることなく、フロントキャビネット３０の第一放出口３２へ導かれる。バスレフダクト６６から出力された低音域の音声は、テレビジョン受信機１０の内部に漏れることなく、バックキャビネット４０の第二放出口４２へ導かれる。また、スピーカ６２に起因する音声及び振動のキャビネットへの伝播は、第一緩衝材１２０及び第二緩衝材１３０により減衰される。これにより、スピーカ６２に起因する音波及び振動は、テレビジョン受信機１０の内部、フロントキャビネット３０及びバックキャビネット４０に伝播しにくくなり、ビビリ音と、ＨＤドライブ７０及び光ディスクドライブ８０の誤作動とを防止することができる。
【００５４】
開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【００５５】
各実施の形態で記載されている技術的特徴（構成要件）はお互いに組合せ可能であり、組み合わせすることにより、新しい技術的特徴を形成することができる。
【００５６】
表示装置は、画像を表示する表示部２０と、箱体６１内部にスピーカ６２が固定してあり、該箱体６１に該スピーカ６２が出力した音声を通過させる通過口６３、６７が開設されているスピーカボックス６０と、記録媒体に記録された画像及び音声を再生する再生部７０、８０と、前記表示部２０、スピーカボックス６０及び再生部７０、８０を収容する筐体３０、４０とを備える表示装置において、前記箱体６１の通過口６３、６７と対向する前記筐体３０、４０の部分に音声を放出する放出口３４、４２が開設されており、前記通過口６３、６７の周縁部及び前記放出口３４、４２の周縁部の間に挟着される緩衝材１２０、１３０を備えることを特徴とする。
【００５７】
表示装置によれば、スピーカ６２が出力する音声に起因するＨＤドライブ７０及び光ディスクドライブ８０の誤作動を防止することができる。
表示装置のフロントキャビネット３０又はバックキャビネット４０を利用して、スピーカ６２が収容される箱体を形成する場合、多くのねじ止め箇所が必要となり、密閉性にも劣る。しかし、スピーカボックス６０は、密閉された自身の箱体６１を有しているので、スピーカ６２が出力する音声を箱体６１内部に閉じ込め、外部に漏らさない。これにより、スピーカ６２に起因する共振周波数の音波は、表示装置の内部、フロントキャビネット３０及びバックキャビネット４０に伝播しにくくなり、ＨＤドライブ７０及び光ディスクドライブ８０の誤作動を防止することができる。
第一及び第二通過口６３、６７の周縁部と、第一及び第二放出口３４、４２の周縁部との間に緩衝材１２０、１３０が挟着されている。そのため、スピーカ６２が出力した音声は表示装置の内部に漏れることなくフロントキャビネット３０の第一放出口３２へ導かれ、バスレフダクト６６から出力された低音域の音声は表示装置の内部に漏れることなくバックキャビネット４０の第二放出口４２へ導かれる。また、スピーカ６２に起因する音声及び振動のキャビネットへの伝播は、第一緩衝材１２０及び第二緩衝材１３０により減衰される。これにより、スピーカ６２に起因する音波及び振動は、表示装置の内部、フロントキャビネット３０及びバックキャビネット４０に伝播しにくくなり、ビビリ音と、ＨＤドライブ７０及び光ディスクドライブ８０の誤作動とを防止することができる。
【００５８】
表示装置は、前記箱体６１の内外を連通するバスレフダクト６６を有しており、前記箱体６１の通過口６３、６７は前記スピーカ６２が出力した音声を通過させる第一通過口６３及び前記バスレフダクト６６から出力された音声を通過させる第二通過口６７を含み、前記筐体の放出口３４、４２は前記第一及び第二通過口６３、６７と夫々対向する第一及び第二放出口３４、４２を含み、前記緩衝材１２０、１３０は前記第一通過口６３の周縁部及び前記第一放出口３４の周縁部の間に挟着される第一緩衝材１２０並びに前記第二通過口６７の周縁部及び前記第二放出口４２の周縁部の間に挟着される第二緩衝材１３０を含むことを特徴とする。
【００５９】
表示装置によれば、スピーカ６２が出力した音声はフロントキャビネット３０の第一放出口３２へ導かれ、バスレフダクト６６から出力された低音域の音声はバックキャビネット４０の第二放出口４２へ導かれる。また、スピーカ６２に起因する音声及び振動は、第一緩衝材１２０及び第二緩衝材１３０により減衰される。これにより、スピーカ６２に起因する音波及び振動は、表示装置の内部、フロントキャビネット３０及びバックキャビネット４０に伝播しにくくなり、ビビリ音と、ＨＤドライブ７０及び光ディスクドライブ８０の誤作動とを防止することができる。
【００６０】
表示装置は、画像を表示する表示部２０と、箱体６１内部にスピーカ６２が固定してあり、該箱体６１に該スピーカ６２が出力した音声を通過させる通過口６３、６７が開設されているスピーカボックス６０と、記録媒体に記録された画像及び音声を再生する再生部７０、８０と、前記表示部２０、スピーカボックス６０及び再生部７０、８０を収容する筐体３０、４０とを備える表示装置において、前記箱体６１の通過口６３、６７と対向する前記筐体３０、４０の部分に音声を放出する放出口３４、４２が開設されており、前記通過口６３、６７（又は前記放出口３４、４２）の周縁部に突設された筒部６４、４３と、該筒部３０、４０の先端部及び前記放出口３４、４２（又は前記通過口６３、６７）の周縁部の間に挟着される緩衝材１２０、１３０とを備えることを特徴とする。
【００６１】
表示装置によれば、スピーカ６２が出力する音声に起因するＨＤドライブ７０及び光ディスクドライブ８０の誤作動を防止することができる。
表示装置のフロントキャビネット３０又はバックキャビネット４０を利用して、スピーカ６２が収容される箱体を形成する場合、多くのねじ止め箇所が必要となり、密閉性にも劣る。しかし、スピーカボックス６０は、密閉された自身の箱体６１を有しているので、スピーカ６２が出力する音声を箱体６１内部に閉じ込め、外部に漏らさない。これにより、スピーカ６２に起因する共振周波数の音波は、表示装置の内部、フロントキャビネット３０及びバックキャビネット４０に伝播しにくくなり、ＨＤドライブ７０及び光ディスクドライブ８０の誤作動を防止することができる。
【００６２】
表示装置は、前記箱体６１の内外を連通するバスレフダクト６６を有しており、前記箱体６１の通過口６３、６７は前記スピーカ６２が出力した音声を通過させる第一通過口６３及び前記バスレフダクト６６から出力された音声を通過させる第二通過口６７を含み、前記筐体３０、４０の放出口３４、４２は前記第一及び第二通過口６３、６７と夫々対向する第一及び第二放出口３４、４２を含み、前記筒部６４、４３は前記第一通過口６３（又は前記第一放出口３４）の周縁部に突設された第一筒部６４及び前記第二通過口６７（又は前記第二放出口４２）の周縁部に突設された第二筒部４３を含み、前記緩衝材１２０、１３０は前記第一筒部６４の先端部と、前記第一放出口３４（又は前記第一通過口６３）の周縁部との間に挟着される第一緩衝材１２０及び前記第二筒部４３の先端部と、前記第二放出口４２（又は前記第二通過口６７）の周縁部との間に挟着される第二緩衝材１３０を含むことを特徴とする。
【００６３】
表示装置によれば、スピーカボックス６０の第一筒部６４の先端部と、フロントキャビネット３０の第一放出口３４との間には、第一緩衝材１２０が挟着されている。また、スピーカボックス６０の第二通過口６７とバックキャビネット４０の第二筒部４３の先端部との間には、第二緩衝材１３０が挟着されている。そのため、スピーカ６２が出力した音声はフロントキャビネット３０の第一放出口３４へ導かれ、バスレフダクト６６から出力された低音域の音声はバックキャビネット４０の第二放出口４２へ導かれる。また、スピーカ６２に起因する音声及び振動は、第一緩衝材１２０及び第二緩衝材１３０により減衰される。これにより、スピーカ６２に起因する音波及び振動は、表示装置のテレビジョン受信機１０の内部、フロントキャビネット３０及びバックキャビネット４０に伝播しにくくなり、ビビリ音と、ＨＤドライブ７０及び光ディスクドライブ８０の誤作動とを防止することができる。
【００６４】
テレビジョン受信機１０は、上記に記載の表示装置と、テレビジョン放送を受信する受信部５０とを備え、前記表示装置の表示部２０は前記受信部５０が受信したテレビジョン放送に係る画像を表示するようにしてあり、前記表示装置のスピーカ６２は前記受信部５０が受信したテレビジョン放送に係る音声を出力するようにしてあり、前記再生部７０、８０は前記受信部５０が受信したテレビジョン放送に係る画像及び音声を記録媒体に記録するようにしてあることを特徴とする。
【００６５】
テレビジョン受信機１０によれば、スピーカ６２が出力する音声に起因するビビリ音及びＨＤドライブ７０及び光ディスクドライブ８０の誤作動を防止することができる。
【符号の説明】
【００６６】
１０    テレビジョン受信機（表示装置）
２０    表示部
２１    画面
３０    フロントキャビネット（筐体）
３４    第一放出口
４０    バックキャビネット（筐体）
４２    第二放出口
４３    第二筒部
５０    チューナ（受信部）
６０    スピーカボックス
６１    箱体
６２    スピーカ
６３    第一通過口
６４    第一筒部
６６    バスレフダクト
６７    第二通過口
７０    ＨＤドライブ（再生部）
８０    光ディスクドライブ（再生部）
９０    支柱
１００  支持板
１２０  第一緩衝材
１３０  第二緩衝材
【図１】
2015019325.tif 000003
【図２】
2015019325.tif 000004
【図３】
2015019325.tif 000005
【図４】
2015019325.tif 000006
【図５】
2015019325.tif 000007
【図６】
2015019325.tif 000008
【図７】
2015019325.tif 000009
【図８】
2015019325.tif 000010
【図９】
2015019325.tif 000011
【図１０】
2015019325.tif 000012
【図１１】
2015019325.tif 000013